(57)【特許請求の範囲】
【請求項１】
相対して回転自在に配置された少なくとも一対の延線ボールを備え、該延線ボールを回転駆動してケーブルを該延線ボール間を通して送り出すボール延線機において、
前記延線ボールを構成するゴム材料のショア硬度が４５以上、５５未満の範囲であることを特徴とするボール延線機。
【発明の詳細な説明】
【０００１】
【発明の属する技術分野】
この発明は、例えばプラント建設のケーブル布設工事における電力ケーブルや制御ケーブルの延線に用いられるボール延線機に関し、特にボール延線機の延線ボールを構成するゴム材料の硬度に関するものである。
【０００２】
【従来の技術】
一般に、機器には電力ケーブルや制御ケーブルなどのケーブルが配線されており、例えばプラント建設においては、電力ケーブルや制御ケーブルなどのケーブル配線長さが数Ｋｍ、本数が数百本にも及ぶこともある。
【０００３】
ここで、従来のケーブル延線作業を図５を参照しつつ説明する。
これらのケーブル１の延線では、まずケーブル１の延線経路の全長にわたってケーブルトレイ（図示せず）が延設される。ついで、ケーブル１の延線経路、すなわちケーブルトレイに沿って、ボール延線機５が随所に設置される。そして、延線経路のコーナ部には、コーナーコロ６が設置され、ボール延線機５間にコロ７が設置される。さらに、延線経路の始端側にケーブル１が巻回されているケーブルドラム２および鈞車４が設置され、延線経路の終端側にウインチ８が設置される。
そこで、作業者は、ケーブルドラム２に巻回されているケーブル１の先端部に牽引ロープ（図示せず）を結び付ける。そして、牽引ロープを持って、延線経路に沿って移動しつつ、始端側から鈞車４に掛け、その後ボール延線機５、コーナーコロ６、コロ７に順次掛けてゆく。そして、終端側まで移動した後、牽引ロープの先端側をウインチ８に巻き付ける。
【０００４】
ついで、ウインチ８を駆動させると同時に、ボール延線機５を駆動させる。すると、牽引ロープがウインチ８により牽引されて延線経路の始端側から終端側に走行移動する。この牽引ロープの走行に伴って、ケーブル１がケーブルドラムから繰り出され、当初は牽引ロープを介してのウインチ８の牽引力およびボール延線機５の送り力により始端側から延線経路にそって牽引移動される。ケーブル１の先端がボール延線機５に至ると、さらにボール延線機５の送り力が直接作用して移動する。そして、ケーブル１の先端が延線経路の終端側まで到達すると、ウインチ８、ボール延線機５の駆動を停止する。ついで、ケーブル１をケーブルドラム２側で切断し、所定長さのケーブル１とする。そこで、ケーブル１をケーブルトレイ内に移し替え、ケーブルトレイの子桁に結束して、１本のケーブル１の延線作業が終了する。
上述の作業を繰り返し行い、所定本数のケーブル１を延線することになる。
【０００５】
ここで、ケーブル１は、架橋ポリエチレンからなる絶縁外皮が被覆されたＣＶＶ  ２ｓｑ  ３０芯（ケーブル直径２６ｍｍ）であり、そのショア硬度は５０〜６０となっている。
また、ボール延線機５の延線ボール５ａは、天然ゴムを主成分とするゴム材料で成形されており、そのショア硬度は約６０となっている。
【０００６】
【発明が解決しようとする課題】
従来のケーブル１の延線作業は以上のように、ケーブル１を牽引ロープを介してウインチ８により牽引するとともに、かつ、延線経路の随所にボール延線機５を配置し、該ボール延線機５によりケーブル１を送り出すようにしていた。
そこで、何らかの原因でケーブル１がロックされた場合には、ボール延線機５の延線ボール５ａがケーブル１の外周面と接しながら空回りしてしまい、ケーブル１の外周面に摩耗傷を生じさせ、ケーブルの絶縁性能を低下させてしまうという課題があった。
【０００７】
この発明は、上記のような課題を解決するためになされたもので、ケーブルが何らかの原因でロックされた場合においても、延線ボールの空回りに伴うケーブル外周面の摩耗傷の発生を抑えることができ、延線ボールの長寿命化が図られるボール延線機を得ることを目的とする。
【０００８】
【課題を解決するための手段】
この発明に係るボール延線機は、延線ボールを構成するゴム材料のショア硬度を４５以上、５５未満の範囲とするものである。
【０００９】
【発明の実施の形態】
以下、この発明の実施の形態を図について説明する。
実施の形態１．
実施例１〜３として、ショア硬度が４５、５０、５５のゴム材料で延線ボール５ａを作製した。また、比較例１〜３として、ショア硬度が４０、６０、７０のゴム材料で延線ボール５ａを作製した。
なお、延線ボール５ａの内圧は、０．４Ｋｇ／ｃｍ2とした。また、ケーブル１は、ＣＶＶ  ２ｓｑ  ３０芯（ケーブル外径２６ｍｍ）を用いた。
【００１０】
まず、４台のボール延線機５を図１に示されるように１辺を１０ｍとする正方形の４隅に配置し、各ボール延線機５の延線ボール５ａに両端を連結して無端状に構成したケーブル１を掛け渡したシステムを用い、上記実施例１〜３および比較例１〜３の延線ボール５ａの摩耗度合いを測定した。
そして、各ボール延線機５を延線速度４ｍ／分で７２時間連続運転させて、その間に削り取られた延線ボール５ａの削りカスを採取し、削りカスの採取量から１台当たりの採取量を算出して、延線ボール５ａの摩耗度合いの指標とした。
削りカスの採取量から１台当たりのゴム採取量は、実施例１〜３の延線ボールを用いた場合、それぞれ１．６９ｇ、１．３４ｇ、１．０４ｇであった。また、比較例１〜３の延線ボールを用いた場合、それぞれ５．３４ｇ、１．０２ｇ、１．００ｇであった。該測定結果に基づくゴムのショア硬度とゴム採取量との関係を図２に示す。
図２から、延線ボール５ａのショア硬度が４５より小さくなると、ゴムの削り量が急激に増加すること、即ち延線ボール５ａが急激に摩耗することが分かる。そこで、ボール延線機５の延線ボール５ａは、耐久性の点からショア硬度が４５以上のゴム材料で作製することが望ましいという結果が得られた。
【００１１】
ついで、一端を固定したケーブル１をボール延線機５の延線ボール５ａ、５ａ間に挟み込み、該ボール延線機５を連続運転させて、即ちスリップ運転させて、上記実施例１〜３および比較例１〜３の延線ボール５ａに対するケーブル１の摩耗度合いを測定した。
そして、ボール延線機５を延線速度４ｍ／分で３０秒間連続運転させて、その間にケーブルシースに生じた摩耗傷の面積を測定し、ケーブル１の摩耗度合いの指標とした。
ここで、ケーブルシース表面には、図３に示されるように、延線ボール５ａに削り取られた摩耗傷１ａが形成される。
ケーブルシースの摩耗傷面積は、実施例１〜３の延線ボールを用いた場合、それぞれ０．１ｃｍ2以下、０．１ｃｍ2以下、０．１ｃｍ2であった。また、比較例１〜３の延線ボールを用いた場合、それぞれ０．１ｃｍ2以下、０．８ｃｍ2、４．５ｃｍ2であった。該測定結果に基づくゴムのショア硬度と摩耗傷面積との関係を図４に示す。
図４から、延線ボール５ａのショア硬度が５５を超えると、ケーブル１のシース表面の摩耗が増加し始め、ショア硬度が６０を越えると、ケーブル１のシース表面の摩耗が急激に増加することが分かる。そして、ショア硬度が６０である比較例２の延線ボール５ａを用いた場合、ケーブル１のシース表面に形成された摩耗傷の面積は０．８ｃｍ2と極めて大面積となり、ケーブル１の絶縁性能を低下させてしまい、実用に適さないものであった。そこで、ボール延線機５の延線ボール５ａは、ケーブル１の絶縁性能の点からショア硬度が５５以下のゴム材料で作製することが望ましいという結果が得られた。
【００１２】
このように、ケーブル延線に適用するボール延線機５においては、延線ボール５ａのショア硬度が小さくなると延線ボールが摩耗しやすくなり、特にショア硬度が４５より小さくなると延線ボールの摩耗が著しく増大してしまう。一方、延線ボール５ａのショア硬度が大きくなるとケーブルシースが摩耗しやすくなり、特にショア硬度が５５を超えると延線ボール５ａに生じる摩耗傷が著しく増大してしまう。
そこで、ケーブル延線に適用するボール延線機５の延線ボール５ａは、ショア硬度が４５から５５の範囲のゴム材料で作製するのが望ましい。
【００１３】
なお、上記実施の形態１では、ＣＶＶ  ２ｓｑ  ３０芯（ケーブル外径２６ｍｍ）のケーブル１を用いるものとしているが、ＣＶＶ  ２ｓｑ  ２芯（ケーブル外径１０ｍｍ）のケーブルに対しても、同様の効果が得られた。
また、上記実施の形態１では、ＣＶＶのケーブルを用いるものとしているが、ＣＶ、ＣＶＴ、ＣＶＶＳ等のケーブルに対しても、同様の効果が得られた。
【００１４】
【発明の効果】
この発明は、ボール延線機の延線ボールをショア硬度４５以上、５５未満のゴム材料で作製したので、ケーブル延線時何らかの原因でケーブルがロックされても、ケーブルシースの損傷が抑えられ、かつ、ボールの長寿命化が図られるという効果が得られる。
【図面の簡単な説明】
【図１】  この発明の実施の形態１に係るボール延線機を用いたケーブル延線時における延線ボール摩耗度を測定するシステム構成図である。
【図２】  ケーブル延線時における延線ボールのショア硬度とボールのゴムクズ採取量との関係を示す図である。
【図３】  ボール延線機のスリップ運転時におけるケーブルシース表面に形成される摩耗傷を示す正面図である。
【図４】  ボール延線機のスリップ運転時における延線ボールのショア硬度とケーブルシースに形成される摩耗傷面積との関係を示す図である。
【図５】  従来のケーブル延線作業を説明する図である。
【符号の説明】
１  ケーブル、５  ボール延線機、５ａ  延線ボール。
【図１】
0003916720.tif 000002
【図２】
0003916720.tif 000003
【図３】
0003916720.tif 000004
【図４】
0003916720.tif 000005
【図５】
0003916720.tif 000006